(57)【要約】【課題】従来の湯張り機能付き給湯機では、フロ流量センサが故障してしまうと湯張り運転ができなくなってしまう。【解決手段】湯張り運転時に給湯流量センサ１１で検出する給湯瞬時流量毎にフロ流量センサ１４で検出するフロ瞬時流量を記憶すると共に、フロ流量センサ１４の故障時の湯張り運転時は、給湯流量センサ１１で検出する給湯瞬時流量に応じたフロ瞬時流量と所望の湯量とから湯張り時間を算出し、湯張り時間の間湯張り弁１５を開けて湯張りを行い、給湯流量センサ１１で検出する給湯瞬時流量が変化する毎に湯張り時間を再計算するようにした。【選択図】図３
2010133582.tif 000002
【特許請求の範囲】
【請求項１】
熱源機により加熱された湯を浴槽へ湯張りするための湯張り管と、前記湯張り管の開閉を行う湯張り弁と、前記湯張り管に設けられフロ瞬時流量を検出するフロ流量センサと、前記湯張り弁を開いて前記湯張り管から前記浴槽へ所望の湯量を湯張りする湯張り運転を行わせる制御手段とを備えた湯張り機能付き給湯機において、前記制御手段は、湯張り運転時に前記フロ流量センサで検出するフロ瞬時流量を記憶すると共に、フロ流量センサの故障時の湯張り運転時は、前記所望の湯量と前記フロ瞬時流量とから湯張り時間を算出し、湯張り時間の間前記湯張り弁を開けて湯張りを行うようにしたことを特徴とする湯張り機能付き給湯機。
【請求項２】
熱源機により加熱された湯を給湯栓へ給湯するための給湯管と、前記給湯管に設けられ給湯瞬時流量を検出する給湯流量センサと、前記熱源機により加熱された湯を浴槽へ湯張りするための湯張り管と、前記湯張り管の開閉を行う湯張り弁と、前記湯張り管に設けられフロ瞬時流量を検出するフロ流量センサと、前記湯張り弁を開いて前記湯張り管から前記浴槽へ所望の湯量を湯張りする湯張り運転を行わせる制御手段とを備えた湯張り機能付き給湯機において、前記制御手段は、湯張り運転時に前記給湯流量センサで検出する給湯瞬時流量毎に前記フロ流量センサで検出するフロ瞬時流量を記憶すると共に、フロ流量センサの故障時の湯張り運転時は、前記給湯流量センサで検出する給湯瞬時流量に応じたフロ瞬時流量と前記所望の湯量とから湯張り時間を算出し、湯張り時間の間前記湯張り弁を開けて湯張りを行い、前記給湯流量センサで検出する給湯瞬時流量が変化する毎に湯張り時間を再計算するようにしたことを特徴とする湯張り機能付き給湯機。
【請求項３】
前記所望の湯量は、設定された所望の水位から算出されたものであることを特徴とする請求項２記載の湯張り機能付き給湯機。
【請求項４】
熱源機により加熱された湯を給湯栓へ給湯するための給湯管と、前記給湯管に設けられ給湯瞬時流量を検出する給湯流量センサと、浴槽の湯水を循環加熱する追い焚き熱源と、前記浴槽と追い焚き熱源との間を湯水が循環可能に接続するフロ循環回路と、前記フロ循環回路途中に接続され前記熱源機により加熱された湯を浴槽へ湯張りするための湯張り管と、前記湯張り管の開閉を行う湯張り弁と、前記湯張り管に設けられフロ瞬時流量を検出するフロ流量センサと、前記フロ循環回路の前記湯張り管との合流点よりも前記浴槽側に設けられ前記浴槽内の水位を検出する水位センサと、前記フロ循環回路の前記水位センサよりも前記浴槽と反対側に設けられ前記湯張り管からの流水が前記水位センサ側に流れないようにする遮断弁と、前記湯張り弁を開いて前記湯張り管から前記浴槽へ所望の水位まで湯張りする湯張り運転を行わせる制御手段とを備えた湯張り機能付き給湯機において、前記制御手段は、湯張り運転時に前記給湯流量センサで検出する給湯瞬時流量毎に前記フロ流量センサで検出するフロ瞬時流量を記憶すると共に、フロ流量センサの故障時の湯張り運転時は、前記所望の水位に基づいた湯量より少ない所定湯量を求め、前記給湯流量センサで検出する給湯瞬時流量に応じたフロ瞬時流量と前記所定湯量とから湯張り時間を算出し、湯張り時間の間前記湯張り弁と前記遮断弁を開けて湯張りを行い、前記給湯流量センサで検出する給湯瞬時流量が変化する毎に湯張り時間を再計算し、湯張り時間経過すると前記遮断弁を閉じ、前記水位センサで検出する水位が所望の水位を検出するまで前記湯張り弁を開けて湯張りを行うようにしたことを特徴とする湯張り機能付き給湯機。
【請求項５】
前記制御手段は、前記給湯流量センサで検出する給湯瞬時流量を複数の給湯瞬時流量レベルに分け、湯張り運転時に前記給湯瞬時流量レベル毎に前記フロ流量センサで検出するフロ瞬時流量の検出値を平均して記憶し、フロ流量センサの故障時の湯張り運転時は、前記給湯流量センサが検出する給湯瞬時流量が属する給湯瞬時流量レベルに対応するフロ瞬時流量を用いて湯張り時間を算出し、前記給湯流量センサが検出する給湯瞬時流量が属する給湯瞬時流量レベルが変化する毎に湯張り時間を再計算するようにしたことを特徴とする請求項２〜４のいずれかに記載の湯張り機能付き給湯機。
【請求項６】
前記制御手段は、前記給湯瞬時流量レベルに対応する前記フロ瞬時流量の記憶値がない場合には、その給湯瞬時流量レベルの上および／または下のレベルのフロ瞬時流量から推算した値を記憶するようにしたことを特徴とする請求項５記載の湯張り機能付き給湯機。
【請求項７】
給湯瞬時流量レベルが変化して湯張り時間を再計算してから所定時間は再度の再計算を禁止するようにしたことを特徴とする請求項５または６記載の湯張り機能付き給湯機。
【発明の詳細な説明】
【技術分野】
【０００１】
本発明は、湯張り機能付き給湯機に関するものである。
【背景技術】
【０００２】
従来より、この種の湯張り機能付き給湯機においては、加熱された湯を浴槽へ所望の水位まで自動的に湯張りするものが一般的に知られ、所望の水位に基づいた演算によって求めた湯量や過去の湯張り時に記憶された湯量、あるいはリモコンにより設定された湯量を湯張り管に設けられたフロ流量センサによって積算カウントするまで湯張りを行うようにしたものがあった。（特許文献１）
【０００３】
また、浴槽と追い焚き熱源との間のフロ循環回路の一方の管の途中に浴槽の水位を検出する水位センサを設け、この一方の管の水位センサの上流側を閉鎖して水位を検出しながらフロ循環回路の他方の管から湯を供給する片搬送湯張りを行い、所望の水位を検出するまで湯張りを行うものがあった。（特許文献２）
【０００４】
【特許文献１】特開２００３−４２５３３号公報
【特許文献２】特開平１０−２４６５０８号公報
【発明の開示】
【発明が解決しようとする課題】
【０００５】
ところが、このような特許文献１の給湯機では、フロ流量センサが故障した場合は湯張りを行うことができなくなってしまうという問題があった。
【０００６】
一方、特許文献２の給湯機では、水位を検出しながら湯張りを行うため、フロ流量センサが故障しても湯張りを行うことができるが、片搬送であるため湯張りに時間が掛かってしまうという問題があった。
【０００７】
そこで、本発明は、フロ流量センサが故障した場合でも、迅速に湯張りを行うことが可能な給湯機を提供することを目的とする。
【課題を解決するための手段】
【０００８】
本発明は上記課題を解決するため、請求項１では、熱源機により加熱された湯を浴槽へ湯張りするための湯張り管と、前記湯張り管の開閉を行う湯張り弁と、前記湯張り管に設けられフロ瞬時流量を検出するフロ流量センサと、前記湯張り弁を開いて前記湯張り管から前記浴槽へ所望の湯量を湯張りする湯張り運転を行わせる制御手段とを備えた湯張り機能付き給湯機において、前記制御手段は、湯張り運転時に前記フロ流量センサで検出するフロ瞬時流量を記憶すると共に、フロ流量センサの故障時の湯張り運転時は、前記所望の湯量と前記フロ瞬時流量とから湯張り時間を算出し、湯張り時間の間前記湯張り弁を開けて湯張りを行うようにした。
【０００９】
これによって、フロ流量センサが故障した場合でも、所望の湯量まで迅速に湯張りを行うことが可能となった。
【００１０】
また、請求項２では、熱源機により加熱された湯を給湯栓へ給湯するための給湯管と、前記給湯管に設けられ給湯瞬時流量を検出する給湯流量センサと、前記熱源機により加熱された湯を浴槽へ湯張りするための湯張り管と、前記湯張り管の開閉を行う湯張り弁と、前記湯張り管に設けられフロ瞬時流量を検出するフロ流量センサと、前記湯張り弁を開いて前記湯張り管から前記浴槽へ所望の湯量を湯張りする湯張り運転を行わせる制御手段とを備えた湯張り機能付き給湯機において、前記制御手段は、湯張り運転時に前記給湯流量せんさで検出する給湯瞬時流量毎に前記フロ流量センサで検出するフロ瞬時流量を記憶すると共に、フロ流量センサの故障時の湯張り運転時は、前記給湯流量センサで検出する給湯瞬時流量に応じた前記フロ瞬時流量と前記所望の湯量とから湯張り時間を算出し、湯張り時間の間前記湯張り弁を開けて湯張りを行い、前記給湯流量センサで検出する給湯瞬時流量が変化する毎に湯張り時間を再計算するようにした。
【００１１】
これによって、フロ流量センサが故障した場合でも、湯張りと同時に給湯があっても所望の湯量まで迅速に湯張りを行うことが可能となった。
【００１２】
また、請求項３では、前記請求項２のものにおいて、前記所望の湯量は、設定された所望の水位から算出されたものとした。
【００１３】
これによって、フロ流量センサが故障した場合でも、湯張りと同時に給湯があっても所望の水位まで迅速に湯張りを行うことが可能となった。
【００１４】
また、請求項４では、熱源機により加熱された湯を給湯栓へ給湯するための給湯管と、前記給湯管に設けられ給湯瞬時流量を検出する給湯流量センサと、浴槽の湯水を加熱する追い焚き熱源と、前記浴槽と追い焚き熱源との間を湯水が循環可能に接続するフロ循環回路と、前記フロ循環回路途中に接続され前記熱源機により加熱された湯を浴槽へ湯張りするための湯張り管と、前記湯張り管の開閉を行う湯張り弁と、前記湯張り管に設けられフロ瞬時流量を検出するフロ流量センサと、前記フロ循環回路の前記湯張り管との合流点よりも前記浴槽側に設けられ前記浴槽内の水位を検出する水位センサと、前記フロ循環回路の前記水位センサよりも前記浴槽と反対側に設けられ前記湯張り管からの流水が前記水位センサ側に流れないようにする遮断弁と、前記湯張り弁を開いて前記湯張り管から前記浴槽へ所望の水位まで湯張りする湯張り運転を行わせる制御手段とを備えた湯張り機能付き給湯機において、前記制御手段は、湯張り運転時に前記給湯流量センサで検出する給湯瞬時流量毎に前記フロ流量センサで検出するフロ瞬時流量を記憶すると共に、フロ流量センサの故障時の湯張り運転時は、前記所望の水位に基づいた湯量より少ない所定湯量を求め、前記給湯流量センサで検出する給湯瞬時流量に応じた前記フロ瞬時流量と前記所定湯量とから湯張り時間を算出し、湯張り時間の間前記湯張り弁と前記遮断弁を開けて湯張りを行い、前記給湯流量センサで検出する給湯瞬時流量が変化する毎に湯張り時間を再計算し、湯張り時間経過すると前記遮断弁を閉じ、前記水位センサで検出する水位が所望の水位を検出するまで前記湯張り弁を開けて湯張りを行うようにした。
【００１５】
これによって、フロ流量センサが故障した場合でも、所望の水位に基づいた湯量より少ない所定湯量まではフロ循環回路の両方の配管を使った両搬送湯張りを同時給湯があっても行うことができて湯張りの完了直前まで迅速に湯張りを行うことができ、さらに湯張りの完了直前からは水位センサを用いた片搬送湯張りを行うため正確に湯張りを行うことが可能となる。
【００１６】
また請求項５では、前記請求項２〜４のいずれかのものにおいて、前記制御手段は、前記給湯流量センサで検出する給湯瞬時流量を複数の給湯瞬時流量レベルに分け、湯張り運転時に前記給湯瞬時流量レベル毎に前記フロ流量センサで検出するフロ瞬時流量の検出値を平均して記憶し、フロ流量センサの故障時の湯張り運転時は、前記給湯流量センサが検出する給湯瞬時流量が属する給湯瞬時流量レベルに対応するフロ瞬時流量を用いて湯張り時間を算出し、前記給湯流量センサが検出する給湯瞬時流量が属する給湯瞬時流量レベルが変化する毎に湯張り時間を再計算するようにした。
【００１７】
これによって、記憶するデータ量が軽減されると共に、湯張り時間の再計算の頻度も軽減され、制御手段の演算負荷を軽減することができる。
【００１８】
また請求項６では、前記請求項５のものにおいて、前記制御手段は、前記給湯瞬時流量レベ００３０るに対応する前記ふろ瞬時流量の記憶値がない場合には、その給湯瞬時流量れべるの上および／または下のれべるのふろ瞬時流量から推算した値を記憶するようにした。
【００１９】
これによって、給湯実績のない給湯瞬時流量レベルでの給湯と湯張りの同時運転でも湯張り時間を算出できる。
【００２０】
また、請求項７では、前記請求項５または６のものにおいて、給湯瞬時流量レベルが変化して湯張り時間を再計算してから所定時間は再度の再計算を禁止するようにした。
【００２１】
これによって、給湯瞬時流量が給湯瞬時流量レベルの境界付近で上下しても、湯張り時間の過度な再計算を行わないため、制御手段の演算負荷を軽減することができる。
【発明の効果】
【００２２】
このように本発明によれば、フロ流量センサが故障した場合でも、所望の湯量または所望の水位まで迅速に湯張りを行うことが可能となった。
【発明を実施するための最良の形態】
【００２３】
次に、本発明の一実施形態を図面に基づいて説明する。
図１は、この一実施形態のシステム図で、１は湯水を貯湯する貯湯タンク、２は浴槽、３は給湯栓、４はリモコンである。
【００２４】
５は貯湯タンク１の下部に接続された給水管、６は給水管５途中に設けられ給水元圧を所定の圧力まで減圧する減圧弁、７は貯湯タンク１上部に接続された出湯管、８は給水管５の減圧弁６下流から分岐された給水バイパス管、９は出湯管７からの湯と給水バイパス管８からの水とを混合する給湯混合弁、１０は給湯混合弁９と給湯栓３とを接続する給湯管、１１は給湯管１０途中に設けられ給湯瞬時流量を検出する給湯流量センサ、１２は出湯管７からの湯と給水バイパス管８からの水とを混合するフロ混合弁、１３はフロ混合弁１２からの湯を浴槽２へ湯張りするための湯張り管、１４は湯張り管１３途中に設けられフロ瞬時流量を検出するフロ流量センサ、１５は湯張り管１３途中に設けられ湯張り管１３の開閉を行う湯張り弁である。
【００２５】
１６は浴槽水を加熱するための追い焚き熱源としての貯湯タンク１内上部に設けられたフロ熱交換器、１７は浴槽２とフロ熱交換器１６とを循環可能に接続するフロ循環回路、１８はフロ循環回路１７の一方の管１７ａに設けられ浴槽水をフロ熱交換器１６へ循環させフロ循環回路１７の他方の管１７ｂから浴槽２へ戻すためのフロ循環ポンプ、１９はフロ循環回路１７の一方の管１７ａの浴槽２に近い位置に接続され浴槽２内の水位を圧力で検出する水位センサ、２０はフロ循環回路１７内の流水の有無を検出する流水スイッチ、２１はフロ循環回路１７の一方の管１７ａと他方の管１７ｂとをバイパスするフロバイパス管、２２はフロバイパス管２１とフロ循環回路１７との接続部に設けられフロ循環回路１７を流れる湯水をフロ熱交換器１６へ循環させるか、フロ熱交換器１６をバイパスしてフロバイパス管２１を介して浴槽２へ戻すかを切り換えるフロバイパス切換弁であり、前記湯張り管１３はフロバイパス切換弁２２と浴槽２との間のフロ循環回路１７へ接続されている。
【００２６】
前記リモコン４には、表示部４ａと、浴槽２への湯張り運転を指示する湯張りスイッチ４ｂと、湯張り量を所望の湯量に調節する湯量調節スイッチ４ｃとが設けられている。
【００２７】
２３は貯湯タンク１内の湯水を加熱する電熱ヒータで、貯湯タンク１および電熱ヒータ２３で熱源機を構成しているものである。なお、これは熱源機としての一例であって、熱源機としてはヒートポンプ式の加熱手段や、貯湯式石油給湯機、瞬間式ガス給湯機であってもよいものである。
【００２８】
２４は給湯流量センサ１１、フロ流量センサ１４、水位センサ１９、流水スイッチ２０の検出値が入力され、給湯混合弁９、フロ混合弁１２、湯張り弁１５、フロ循環ポンプ１８、フロバイパス切換弁２２の作動を制御すると共に、リモコン４と通信可能に接続された制御手段である。この制御手段２４は、演算、比較、記憶機能を有しているものである。
【００２９】
次に、通常の湯張り運転時の作動について説明する。
リモコン４の湯張りスイッチ４ｂが操作されると、ユーザーが湯量調節スイッチ４ｃで設定した所望の湯量を浴槽２に湯張りすべく、まずは制御手段２４はフロバイパス切換弁２２をフロバイパス管２１側へ切り換えると共に湯張り弁１５を開き、一定量の湯をフロ循環回路１７へ流す呼び水動作を行い、湯張り弁１５を閉じる。
【００３０】
そして、制御手段２４はフロ循環ポンプ１８を一定時間駆動して、その間に流水スイッチ２０で流水の有無をチェックする。流水がない場合は浴槽２内に湯がない状態であるので、湯張り弁１５を開き、フロ流量センサ１４で検出する湯量の積算値が所望の湯量になると湯張り弁１５を閉じて湯張り運転を完了する。
【００３１】
この湯張り運転の最中に、制御手段２４は、給湯流量センサ１１で検出する給湯瞬時流量とフロ流量センサ１４で検出するフロ瞬時流量を同時に監視し、給湯瞬時流量毎にフロ瞬時流量を記憶する。ここでは、図２に示すように、給湯瞬時流量を複数の給湯瞬時流量レベルに分け、各給湯瞬時流量レベル毎にフロ瞬時流量の検出値を平均して記憶するもので、例えば、湯張り運転中に給湯が行われていない場合および２．０Ｌ／ｍｉｎまでの微小給湯があった場合、その給湯瞬時流量でのフロ瞬時流量を仮に記憶し、それまでの２．０Ｌ／ｍｉｎまでの給湯瞬時流量レベルに対応して記憶されているＮ回分のフロ瞬時流量の平均値をＮ倍して加え、（Ｎ＋１）回で割った新たなフロ瞬時流量の平均値を記憶する。そして、この作動を各給湯瞬時流量レベル毎に行うようにしている。
【００３２】
なお、給湯瞬時流量レベルに対応する湯張り運転との同時給湯の実績がない場合は、その給湯瞬時流量レベルに対応するフロ瞬時流量はデータがないが、その給湯瞬時流量レベルの上および／または下のレベルのフロ瞬時流量から推算して記憶するようにしている。例えば、フロ瞬時流量のデータのないレベルの上下のレベルのフロ瞬時流量が記憶されている場合は、その中央値を記憶するようにしており、フロ瞬時流量のデータのないレベルの上または下のレベルの一方だけのフロ瞬時流量が記憶されている場合は、さらにその上または下のレベルのフロ瞬時流量と併せて抜けているフロ瞬時流量を推算することが可能で、これを記憶するようにしている。
【００３３】
次に、フロ流量センサ１４が故障している際の湯張り運転について、図３に示すフローチャートおよび図４に示す時間軸に基づいた説明図に基づいて説明する。
【００３４】
何らかの原因によってフロ流量センサ１４が故障してしまい、これを制御手段２４が認識している場合においては、リモコン４の湯張りスイッチ４ｂが操作されると、ユーザーが湯量調節スイッチ４ｃで設定した所望の湯量（Ｌｓ）を浴槽２に湯張りすべく、まずは制御手段２４はフロバイパス切換弁２２をフロバイパス管２１側へ切り換えると共に湯張り弁１５を開き、予め設定された一定時間の間、湯をフロ循環回路１７へ流す呼び水動作を行い、湯張り弁１５を閉じる（ステップＳ１）。
【００３５】
次に、制御手段２４はフロ循環ポンプ１８を一定時間駆動して、その間に流水スイッチ２０で流水の有無をチェックする（ステップＳ２）。流水がない場合は浴槽２内に湯がない状態であるので、湯張り弁１５を開く（ステップＳ３、図４の時点ｔ０）と共に、その時点での給湯流量センサ１１の検出する給湯瞬時流量をチェックし、通常の湯張り運転時に記憶している図２に示すような給湯瞬時流量毎のフロ瞬時流量の関係からその時点での給湯瞬時流量に対応するフロ瞬時流量の値（ここでは給湯瞬時流量が０Ｌ／ｍｉｎなので、１９Ｌ／ｍｉｎ）を選択する（ステップＳ４）。
【００３６】
そして、選択されたフロ瞬時流量で設定された所望の湯量を割ることで、湯張り時間が算出され（ステップＳ５、湯張り時間は図４上の（ｔ２−ｔ０）で表され、（Ｌｓ／１９．０）のように算出される）、湯張り弁１５の開弁からの時間で残りの湯張り時間をカウントダウンする。
【００３７】
湯張り運転中に給湯流量センサ１１で検出する給湯瞬時流量が変化し、給湯瞬時流量レベルが変わった場合は（ステップＳ６、図４の時点ｔ１）、残りの湯張り時間から残り湯張り量を再計算し（ステップＳ７、残り湯張り量は図４上（Ｌｓ−Ｌ１）で表され、（（ｔ２−ｔ１）×１９．０）のように算出される）、新たなフロ瞬時流量を選択し（ステップＳ４、ここでは給湯瞬時流量が１２．０Ｌ／ｍｉｎなので、１２．７Ｌ／ｍｉｎ）、選択されたフロ瞬時流量から残り湯張り時間を再計算する（ステップＳ５、この残り湯張り時間は図４上（ｔ５−ｔ１）で表され、（（（ｔ２−ｔ１）×１９．０）／１２．７）のように算出される）。
【００３８】
また、再度給湯瞬時流量レベルが変わった場合は（ステップＳ６、図４の時点ｔ３）、残りの湯張り時間から残り湯張り量を再計算し（ステップＳ７、残り湯張り量は図４上（Ｌｓ−Ｌ２）で表され、（（ｔ５−ｔ３）×１２．７）のように算出される）、新たなフロ瞬時流量を選択し（ステップＳ４、ここでは給湯瞬時流量が０Ｌ／ｍｉｎなので、１９．０Ｌ／ｍｉｎ）、選択されたフロ瞬時流量から残り湯張り時間を再計算する（ステップＳ５、この残り湯張り時間は図４上（ｔ４−ｔ３）で表され、（（（ｔ５−ｔ３）×１２．７）／１９．０）のように算出される）。
【００３９】
なお、残り湯張り時間の再計算を行ってから一定時間は給湯瞬時流量レベルが変わっても残り湯張り時間の再度の再計算を行わないようにしているため、給湯瞬時流量が給湯瞬時流量レベルの境界付近で上下しても、湯張り時間の過度な再計算を行わず、制御手段２４の演算負荷を軽減することができる。
【００４０】
そして、残り湯張り時間が経過すると（ステップＳ８）、湯張り弁１５を閉じ（ステップＳ９）、湯張り運転を終了する。
【００４１】
なお、前記ステップＳ２にて浴槽２に残湯があった場合は、水位センサ１９で浴槽２内の残湯の水位を求め（ステップＳ１０）、予め求めていた浴槽２の単位水位当たりの湯量と検出水位から残湯量を算出し、リモコン４で設定されている所望の湯量からこの残湯量を減算することで残り湯張り量を算出し（ステップＳ１１）、この残り湯張り量を湯張りするようステップＳ３以降の作動を行うようにしている。
【００４２】
このように、フロ流量センサ１４が故障しても所望の湯量の湯張りを迅速に行うことができ、しかも湯張りと同時に給湯があっても所望の湯量の湯張りを行うことができるようになった。
【００４３】
また、フロ流量センサ１４の故障時の湯張り運転に用いるデータを給湯瞬時流量レベル毎にフロ瞬時流量を平均して記憶しているので、記憶するデータ量が軽減されると共に、湯張り時間の再計算の頻度も軽減され、制御手段２４の演算負荷を軽くすることができる。また、フロ瞬時流量を更新していくため、減圧弁６のない熱源機において季節変動要因等による給水元圧の変化があっても、記憶されているフロ瞬時流量の値が都度更新されるため信頼性が高く、湯張り運転完了時点の湯量あるいは水位の誤差の少ないものとすることができる。
【００４４】
なお、リモコン４で設定するのは所望の湯量としているが、これに限らず所望の水位とすることもできる。この場合、予め求めた浴槽２の単位水位当たりの湯量のデータから所望の水位を湯量に換算し、これまで説明してきた動作と同一の作動でフロ流量センサ１４が故障していても所望の水位相当の湯張り運転を行うことが可能となる。
【００４５】
次に、本発明の他の一実施形態について説明する。この一実施形態は、先の一実施形態の水位センサ１９とフロ循環ポンプ１８との間に湯張り管からの流水が前記水位センサ側に流れないようにする遮断弁２５を設け、リモコン４で設定する所望の湯量の代わりに所望の水位を設定可能としたものである。
【００４６】
この場合、湯張りを行う際は、予め求められている浴槽２の単位水位当たりの湯量と所望の水位よりも所定水位低い水位から湯量を算出し、この湯量をフロ流量センサ１４で積算するまで遮断弁２５を開いた状態で両搬送湯張りを行い、その後は遮断弁２５を閉じて水位センサ１９で水位を検出しながら片搬送湯張りを行い、所望の水位を検出すると湯張り運転を終了するようにしている。
【００４７】
このような湯張り機能付給湯機においても、先の一実施形態と同じく、フロ流量センサ１４が故障した際に、給湯瞬時流量に応じたフロ瞬時流量を用いて湯張り時間を算出し、所望の水位に基づいた湯量より少ない所定湯量までは湯張り時間に基づいてフロ循環回路１７の両方の配管を使った両搬送湯張りを同時給湯があっても行うことができて湯張りの完了直前まで迅速に湯張りを行うことができ、さらに湯張りの完了直前からは水位センサ１９を用いた片搬送湯張りを行うため正確に湯張りを行うことが可能となる。
【図面の簡単な説明】
【００４８】
【図１】本発明の一実施形態のシステム図。
【図２】同一実施形態の給湯瞬時流量レベル毎のフロ瞬時流量の関係を示す図。
【図３】同一実施形態のフロ流量センサ故障時の湯張り運転の作動を説明するためのフローチャート。
【図４】同一実施形態のフロ流量センサ故障時の湯張り動作の作動を説明するための説明図。
【符号の説明】
【００４９】
１  貯湯タンク（熱源機）
２  浴槽
３  給湯栓
１０  給湯管
１１  給湯流量センサ
１３  湯張り管
１４  フロ流量センサ
１５  湯張り弁
２４  制御手段
【図１】
2010133582.tif 000003
【図２】
2010133582.tif 000004
【図３】
2010133582.tif 000005
【図４】
2010133582.tif 000006